(57)【要約】【課題】遊技機用基板ケースの上蓋が開けられたのを容易に検出することのできる遊技機用基板ケースを提供する。【解決手段】遊技機用基板ケース１において、封止部材１３に、連結穴１３１ａ、１３１ｂに挿入して上蓋１２とケース本体１１を連結するための連結部１３２と、塗料１３３が収容された塗料容器部１３４と、連結部１３２の一端で連結穴１３１ａの周辺に係合する係止片１３５と、連結部１３２の他端で塗料容器部１３４の開口を閉止する蓋部１３６と、を設け、封止部材１３により上蓋１２とケース本体１１が連結された連結状態で、連結部１３２および蓋部１３６が塗料容器部１３４から脱離するのに要する力Ｆ１が、係止片１３５が連結部１３２から離脱するか、又は折損するのに要する力Ｆ２よりも小さいように設定する。【選択図】図３
2008178637.tif 000002
【特許請求の範囲】
【請求項１】
遊技機の動作を制御する電子回路が組み込まれたゲーム用電子回路基板を収容するケース本体と、前記ケース本体の開口を閉じるための上蓋と、前記上蓋が閉じられた前記ケース本体を封止する封止部材と、を有し、
前記封止部材は、前記上蓋と前記ケース本体とに設けられた連結穴に挿入されて双方を連結する連結部と、塗料が収容された塗料容器部と、前記連結部の一端で前記連結穴の周辺に係合する係止片と、前記連結部の他端で前記塗料容器部の開口部に設けられた蓋部と、を有し、
前記上蓋が閉じられて前記封止部材により前記ケース本体が封止された状態で、前記連結部が前記連結穴から引き抜かれると、前記蓋部が前記塗料容器部から外れ、前記塗料容器部が開口して前記塗料が外部に漏出することを特徴とする遊技機用基板ケース。
【発明の詳細な説明】
【技術分野】
【０００１】
本発明は、ゲーム用電子回路基板を収容して遊技機に取り付けられる遊技機用基板ケースに関するものである。
【背景技術】
【０００２】
近年、パチンコ、スロットマシン等の遊技機は、マイクロコンピュータを用いたゲーム用電子回路によって遊技動作が制御されている。このゲーム用電子回路は、統括的な演算処理を行うＣＰＵ、データの読み取りおよび書き込みが可能な記憶素子（例えば、ＲＡＭ）、データの読み取りのみが可能な記憶素子（例えば、ＲＯＭ）等を備え、ＣＰＵは、前記記憶素子に記憶されたデータを用いて遊技動作を制御している。
【０００３】
ここで、ＲＯＭには、遊技機の機種に応じて、例えば、役物の大当り、小当りの確率を決定するためのデータ等が記憶されている。そして、ＲＯＭは、ゲーム用電子回路基板に着脱自在に装着されており、ＲＯＭを交換することで遊技動作の特性を変更することが可能となる。また、ゲーム用電子回路基板は、所定の基板ケースに収容した状態で遊技機の内部に取り付けられている。
【０００４】
このような事情から、従来の遊技機用基板ケースは、ＲＯＭが不正に交換されることを防止し、ＲＯＭが不正に交換された場合には不正交換を検出するために、例えば、基板ケースの本体と、この本体を覆う上蓋と、本体と上蓋を連結する封印部材（封止部材に相当する）と、を設け、この封印部材によって上蓋の取り外しを規制している（例えば、特許文献１参照）。この構成によれば、封印部材の切断により、上蓋が開けられたことを検出することができる。この検出によって、ＲＯＭの不正交換の可能性があることが判明する。
【特許文献１】特許第３８０１３９９号公報
【発明の開示】
【発明が解決しようとする課題】
【０００５】
しかしながら、従来の遊技機用基板ケースにおいては、封印部材を形成する合成樹脂が結晶性の熱可塑性樹脂でない場合、封印部材の不正開封後に再接着による偽装がなされると、上蓋が開けられたことを検出するのが難しいという問題があった。
【０００６】
本発明は、従来の問題を解決するためになされたもので、遊技機用基板ケースの上蓋が開けられたのを容易に検出することのできる遊技機用基板ケースを提供することを目的とする。
【課題を解決するための手段】
【０００７】
本発明の遊技機用基板ケースは、遊技機の動作を制御する電子回路が組み込まれたゲーム用電子回路基板（例えば、図１の２）を収容するケース本体（例えば、図１の１１）と、前記ケース本体の開口を閉じるための上蓋（例えば、図１の１２）と、前記上蓋が閉じられた前記ケース本体を封止する封止部材（例えば、図２の１３）と、を有し、前記封止部材は、前記上蓋と前記ケース本体とに設けられた連結穴（例えば、図１の１３１ａ、１３１ｂ）に挿入されて双方を連結する連結部（例えば、図２の１３２）と、塗料（例えば、図２の１３３）が収容された塗料容器部（例えば、図２の１３４）と、前記連結部の一端で前記連結穴の周辺に係合する係止片（例えば、図２の１３５）と、前記連結部の他端で前記塗料容器部の開口部に設けられた蓋部（例えば、図２の１３６）と、を有し、前記上蓋が閉じられて前記封止部材により前記ケース本体が封止された状態で、前記連結部が前記連結穴から引き抜かれると、前記蓋部が前記塗料容器部から外れ、前記塗料容器部が開口して前記塗料が外部に漏出する構成を有している。
【０００８】
この構成によれば、上蓋がケース本体から取り外されるのに伴い、連結部が連結穴から引き抜かれる場合には、蓋部が塗料容器部から外れ、前記塗料容器部が開口して塗料が外部に漏出するので、遊技機用基板ケースの上蓋が開けられたのを容易に検出することができる。遊技機用基板ケースの開封はゲーム用電子回路基板に搭載されたＲＯＭの不正交換を示唆するので、ＲＯＭの不正交換を容易に検出することができる。
【発明の効果】
【０００９】
本発明は、遊技機用基板ケースの封止部材に、上蓋とケース本体とに設けられた連結穴に挿入されて双方を連結する連結部と、塗料が収容された塗料容器部と、前記連結部の一端で前記連結穴の周辺に係合する係止片と、前記連結部の他端で前記塗料容器部の開口部に設けられた蓋部と、を有し、前記上蓋が閉じられて前記封止部材により前記ケース本体が封止された状態で、前記連結部が前記連結穴から引き抜かれると、前記蓋部が前記塗料容器部から外れ、前記塗料容器部が開口して前記塗料が外部に漏出するようにしたことにより、遊技機用基板ケースの上蓋が開けられたのを容易に検出することができるという効果を有する遊技機用基板ケースを提供することができる。
【発明を実施するための最良の形態】
【００１０】
図１〜図３は本発明に係る遊技機用基板ケースの一実施の形態を示す図である。以下、本発明の実施の一形態に係る遊技機用基板ケースについて、図面を用いて説明する。
【００１１】
図１は、本発明の実施の一形態に係る遊技機用基板ケースの分解斜視図である。
【００１２】
図１において、遊技機用基板ケース１は、ゲーム用電子回路基板２を収容するトレイ状のケース本体１１と、このケース本体１１の上側に係合して開口を閉じるための上蓋１２と、を有する構成である。
ゲーム用電子回路基板２は、パチスロ機（不図示）の遊技に係る統括的な演算処理を行うＣＰＵ、データの読み取りおよび書き込みが可能なＲＡＭ、データの読み取りのみが可能なＲＯＭ等を具備し、ＲＡＭ、ＲＯＭに記憶されたデータに基づいてＣＰＵは遊技動作を制御する。また、ゲーム用電子回路基板２は、ケース本体１１に所定の固定具（例えば、止めネジ）で固定されるようになっている。
【００１３】
上蓋１２およびケース本体１１は、ポリカーボネート等の樹脂により形成されている。上蓋１２およびケース本体１１の両端側（図中、左右側）の相対する箇所には、双方を係合するための係合部１２１ａ、１２１ｂが形成され、この係合部１２１ａ、１２１ｂには、封止部材１３（図２に示す）によって双方を連結するための連結穴１３１ａ、１３１ｂが所定の間隔をもって設けられている。上蓋１２の係合部１２１ａの上側は中空となっており、この空間に封止部材１３の係止片１３５を突出させ、かつ係止片１３５への接触を阻止するようにしている。ケース本体１１の係合部１２１ｂの下側は開口しており、開口部から塗料容器部１３４が取り付けられた後、係合部１２１ｂの下面に突出した塗料容器部１３４を下部側面で保護するようにしている。また、上蓋１２の上面には、例えば、紙製の検査履歴シール３が貼付される。検査履歴シール３には、封印年月日、封印担当者等が記載される。
また、遊技機用基板ケース１は、ケース本体１１にゲーム用電子回路基板２を収容して上蓋１２を被せ、ケース本体１１と上蓋１２を連結した状態で、パチスロ機内部の取り付け板（不図示）にネジ止めされる。このパチスロ機内部への取り付けについては、例えば、特許第０３８０１３９９号公報に詳述されている。
【００１４】
図２は、本発明の実施の一形態に係る遊技機用基板ケースの封止部材の斜視図および断面図である。
【００１５】
図２において、封止部材１３は、係合部１２１ａ、１２１ｂの連結穴１３１ａ、１３１ｂに挿入されて上蓋１２とケース本体１１とを連結する連結部１３２と、塗料１３３（例えば、蛍光塗料）が収容された塗料容器部１３４と、連結部１３２の一端（図中、上端）で連結穴１３１ａの周辺に係合する係止片１３５と、連結部１３２の他端（図中、下端）で塗料容器部１３４の開口を閉じる蓋部１３６と、を有し、例えば、可撓性を有する合成樹脂（好ましくは結晶性の熱可塑性樹脂）としてのポリプロピレンで形成されている。また、連結部１３２は、丸棒状又はワイヤ状に形成され、その径は連結穴１３１ａ、１３１ｂの径よりも小さいので、連結穴１３１ａ、１３１ｂに挿通させることが容易である。係止片１３５は、相互に内側に弾性変形可能な一対の係止片１３５ａ、１３５ｂからなり、連結部１３２の一端を鏃状に形成している。この係止片１３５が弾性変形することで、連結部１３２の一端を連結穴１３１ａ、１３１ｂへ挿入可能としている。さらに、連結穴１３１ａを通過後、係止片１３５は弾性変形から弾性復帰し、連結穴１３１ａの周辺に係合するようになっている。なお、塗料容器部１３４と蓋部１３６とは、塗料容器部１３４への塗料１３３注入後に所定の接着剤を用いて接着される。
【００１６】
図３は、封止部材１３により上蓋１２とケース本体１１が連結された連結状態の遊技機用基板ケース１の断面図である。図３（ａ）は、遊技機用基板ケース１の長手方向の断面を示し、図３（ｂ）は図３（ａ）のＡ断面を示している。なお、ケース本体１１に収納されたゲーム用電子回路基板２は図示を省略している。
【００１７】
図３において、上蓋１２とケース本体１１は、双方の係合部１２１ａ、１２１ｂで複数の封止部材１３により連結されている。封止部材１３は、上蓋１２とケース本体１１とを緩みなく連結可能な所定の長さに設定されている。位置決め部１６０は、係合部１２１ａに形成された凸部と、係合部１２１ｂに形成された凹部と、が嵌合するような配置および形状となっている。
【００１８】
上蓋１２の係合部１２１ａの上部は中空となっており、上部空間１４０には、係合部１２１ａの上面から係止片１３５が突出している。この上部空間１４０は閉じているため、連結後の封止部材１３の一端（図中、上端）を保護し、外部からの接触を防止することが期待される。
【００１９】
ケース本体１１の係合部１２１ｂの下部は開口し、係合部１２１ｂの下部側面が外部と下部空間１５０を隔てている。そして、下部空間１５０には、係合部１２１ｂの下面から塗料容器部１３４が突出している。この下部空間１５０は開いているため、係合部１２１ｂの下面から封止部材１３の一端（図中、上端）を連結穴１３１ｂへ挿入可能としている。また、係合部１２１ｂの下部側面が外部と下部空間１５０を隔て、塗料容器部１３４の下面は下部空間１５０内にあるため、連結後の塗料容器部１３４に対する接触を抑制し、不正な開封以外の原因（例えば、搬送中の接触事故）で蓋部１３６が離脱するのを防止することが期待される。
【００２０】
ここでは、封止部材１３により上蓋１２とケース本体１１が連結された連結状態で、連結部１３２および蓋部１３６が塗料容器部１３４から脱離するのに要する力Ｆ１（例えば、係止片１３５および連結部１３２を図中、上方へ引っ張る力、あるいは塗料容器部１３４を図中、下方へ引っ張る力）が、係止片１３５が連結部１３２から離脱するか、又は折損するのに要する力Ｆ２（例えば、連結部１３２を図中、下方へ引っ張る力）よりも小さくなるようにしている。よって、封止部材１３により上蓋１２とケース本体１１とが連結された連結状態で、上蓋１２がケース本体１１から不正に取り外されて開蓋するのに伴い、係止片１３５および連結部１３２が所定の力Ｆ（≧Ｆ１）で引っ張られると、蓋部１３６は塗料容器部１３４から外れ、塗料容器部１３４が開口して塗料１３３が外部に漏出することになる。
【００２１】
以上のように構成された遊技機用基板ケース１について、その組立手順を説明する。
【００２２】
まず、ケース本体１１の所定位置にゲーム用電子回路基板２をネジ止めして固定する。次いで、位置決め部１６０の嵌合によりケース本体１１の係合部１２１ｂに上蓋１２の係合部１２１ａを位置決めする。ここで、係合部１２１ａの複数の連結穴１３１ａと、係合部１２１ｂの複数の連結穴１３１ｂとは連通する。
次いで、係合部１２１ｂの複数の連結穴１３１ｂに複数の封止部材１３を挿入し、さらに複数の連結穴１３１ａまで挿通して、上蓋１２とケース本体１１を弾性的に係合させる。ここで、連結穴１３１ｂに挿入された係止片１３５（一対の係止片１３５ａ、１３５ｂ）は弾性変形し、連結穴１３１ａまで挿通した後、弾性変形から弾性復帰して連結穴１３１ａの周辺に係合する。一方、塗料容器部１３４は、封止部材１３の連結穴１３１ａ、１３１ｂへの挿通に伴い、係合部１２１ｂの下面に向けて移動し、連結穴１３１ｂの周辺に係合する。
本実施の形態では、係止片１３５が連結穴１３１ａの周辺に係合し、塗料容器部１３４が連結穴１３１ｂの周辺に係合することにより、上蓋１２とケース本体１１とは緩みなく連結される。この後、遊技機用基板ケース１は、前述したようにパチスロ機内部の取り付け板（不図示）にネジ止めされる。
このような本発明の実施の一形態の遊技機用基板ケース１によれば、封止部材１３に、連結穴１３１ａ、１３１ｂに挿入して上蓋１２とケース本体１１を連結するための連結部１３２と、塗料１３３が収容された塗料容器部１３４と、連結部１３２の一端で連結穴１３１ａの周辺に係合する係止片１３５と、連結部１３２の他端で塗料容器部１３４の開口を閉じる蓋部１３６と、を設け、封止部材１３により上蓋１２とケース本体１１が連結された連結状態で、連結部１３２および蓋部１３６が塗料容器部１３４から脱離するのに要する力Ｆ１が、係止片１３５が連結部１３２から離脱するか、又は折損するのに要する力Ｆ２よりも小さいために、前記連結状態で上蓋１２がケース本体１１から取り外されて開蓋するのに伴い、塗料容器部１３４が前記力Ｆ（≧Ｆ１）で引っ張られると、蓋部１３６は塗料容器部１３４から外れ、塗料容器部１３４が開口して塗料１３３が外部に漏出することになる。この塗料の漏出により、遊技機用基板ケース１の開封を容易に検出することができ、また、遊技機用基板ケース１の開封はゲーム用電子回路基板２に搭載されたＲＯＭの不正交換を示唆するので、ＲＯＭの不正交換を容易に検出することができる。
【００２３】
なお、前述した実施形態では、上蓋１２の係合部１２１ａに閉じた上部空間１４０を設けた場合について説明したが、本発明はこのほかに、係合部１２１ａの上面から係止片１３５が突出するのを避けるための第１の取り付け穴と、係合部１２１ｂの下面から塗料容器部１３４が突出するのを避けるための第２の取り付け穴と、を設けてもよい。
例えば、図４（ａ）の遊技機用基板ケース１′では、取り付け穴１７０（第１の取り付け穴に相当する）の底部に連結穴１３１ａが開口し、前記連結状態で係止片１３５が前記底部に係合するよう、連結穴１３１ａごとに円筒状の空間を有する取り付け穴１７０を設けている。なお、係止片１３５が前記底部に係合したとき、封止部材１３が取り付け穴１７０から突出しないよう、取り付け穴１７０の深さＤ１を設定している。また、一対の係止片１３５ａ、１３５ｂが前記底部に係合したときの係合端間の長さよりも大きくなるよう、前記底部の径Ｒ１を設定している。
【００２４】
また、図４（ａ）の遊技機用基板ケース１′では、取り付け穴１８１（第２の取り付け穴に相当する）の底部に連結穴１３１ｂが開口し、前記連結状態で塗料容器部１３４が前記底部に係合するよう、連結穴１３１ｂごとに円筒状の空間を有する取り付け穴１８１を設けている。なお、塗料容器部１３４が前記底部に係合したとき、塗料容器部１３４が取り付け穴１８１から突出しないよう、取り付け穴１８１の深さＤ２を設定している。また、塗料容器部１３４の径よりも大きくなるよう、前記底部の径Ｒ２を設定している。
【００２５】
この構成によれば、前記連結状態で封止部材１３への接触を抑制し、また前述した実施形態（図１から図３に示す）に比べて遊技機用基板ケースを小型化することができる。
さらに、前述した実施形態では、位置決め部１６０の嵌合により上蓋１２とケース本体１１の位置決めを行った場合について説明したが、本発明はこのほかに、ケース本体１１の外周に上蓋１２を嵌合するようにしてもよい。例えば、図４（ｂ）の遊技機用基板ケース１″では、上蓋１２の下部側面の被覆部と、ケース本体１１の上部側面を囲む段差部と、を形成し、双方を嵌合して嵌合部１９０をなしている。この構成によれば、上蓋１２とケース本体１１とが位置決めされた状態で固定されるために、例えば、遊技機用基板ケース１″を裏返した状態（ケース本体１１の下面が上向きの状態）で封止部材１３を挿入することも容易である。
【００２６】
また、前述した実施形態では、塗料容器部１３４と蓋部１３６を所定の接着剤を用いて接着した場合について説明したが、本発明はこのほかに、例えば、塗料容器部１３４の内周面と蓋部１３６の周面に嵌合部（例えば、凹凸部）を形成して嵌合するようにしてもよい。
【図面の簡単な説明】
【００２７】
【図１】本発明の実施の一形態の遊技機用基板ケースの分解斜視図。
【図２】本発明の実施の一形態の封止部材の斜視図および断面図。
【図３】本発明の実施の一形態の遊技機用基板ケースの断面図。
【図４】本発明の他の実施の形態の遊技機用基板ケースの断面図。
【符号の説明】
【００２８】
１、 １′、１″  遊技機用基板ケース
２  ゲーム用電子回路基板
１１  ケース本体
１２  上蓋
１３  封止部材
１２１ａ、１２１ｂ  係合部
１３１ａ、１３１ｂ  連結穴
１３２  連結部
１３３  塗料
１３４  塗料容器部
１３５  係止片
１３６  蓋部
【図１】
2008178637.tif 000003
【図２】
2008178637.tif 000004
【図３】
2008178637.tif 000005
【図４】
2008178637.tif 000006